(57)【特許請求の範囲】
【請求項１】
トラッキング位置を変化させながら、エンベロープ検波回路から得られるエンベロープ波形の振幅を検出し、エンベロープ波形の振幅が最高となるトラッキング位置を探索する１次探索処理手段、および
１次探索処理手段によって探索されたトラッキング位置範囲内において、トラッキング位置を変化させながら、誤り訂正回路から得られる１フレーム当たりのエラー訂正総数を検出し、１フレーム当たりのエラー訂正総数が最小となるトラッキング位置を探索する２次探索処理手段を備えており、
エンベロープ検波回路として、デジタルのランダム信号の最高周波数にピークをもつ特性を有するものが用いられていることを特徴とするデジタルＶＴＲにおけるオートトラッキング装置。
【請求項２】
トラッキング位置を変化させながら、誤り訂正回路から得られる１フレーム内のエラー訂正総数を検出し、１フレーム内のエラー訂正総数が最小となるトラッキング位置を探索する１次探索処理手段、および
１次探索処理手段によって探索されたトラッキング位置範囲内において、トラッキング位置を変化させながら、エンベロープ検波回路から得られるエンベロープ波形の振幅を検出し、エンベロープ波形の振幅が最高となるトラッキング位置を探索する２次探索処理手段を備えており、
エンベロープ検波回路として、デジタルのランダム信号の最高周波数にピークをもつ特性を有するものが用いられていることを特徴とするデジタルＶＴＲにおけるオートトラッキング装置。
【発明の詳細な説明】
【０００１】
【発明の属する技術分野】
この発明は、デジタルＶＴＲのオートトラッキング装置に関する。
【０００２】
【従来の技術】
通常、あるアナログＶＴＲにおいて、他のアナログＶＴＲで映像等が記録されたビデオテープ（他己録テープ）を再生する場合には、両アナログＶＴＲの間でコントロールヘッドと回転ヘッドの距離Ｘにずれがあるため、走行するビデオテープに対する回転ヘッドの相対位置（トラッキング位置）の調整が行なわれる。このトラッキング位置の調整では、トラッキング位置を変化させながら、再生ビデオ信号の検出レベル（エンベロープ波形の振幅）を検出し、エンベロープ波形の振幅が最大となるトラッキング位置を最適トラッキング位置としている。
【０００３】
デジタルＶＴＲにおいても、他己録テープを再生する場合には、Ｃ／Ｎの向上化、エンベロープレベルの安定化を図るために、トラッキング位置の調整が必要となる。
【０００４】
デジタルＶＴＲ場合には、再生時にはエラーレートが重要となる。つまり、エラーレートの劣化がある程度以下の場合には誤り訂正機能によりエラーが訂正されるため、再生画像・音声に乱れは生じないが、エラーレートの劣化がある程度を越えると、再生画像・音声が大きく乱れ、再生画像・音声が出力されなくなることもある。
【０００５】
【発明が解決しようとする課題】
この発明は、エラーレートが小さくなるトラッキング位置にトラッキング位置を調整することができるデジタルＶＴＲのオートトラッキング装置を提供することを目的とする。
【０００６】
【課題を解決するための手段】
この発明による第１のデジタルＶＴＲにおけるオートトラッキング装置は、トラッキング位置を変化させながら、エンベロープ検波回路から得られるエンベロープ波形の振幅を検出し、エンベロープ波形の振幅が最高となるトラッキング位置を探索する１次探索処理手段、および１次探索処理手段によって探索されたトラッキング位置範囲内において、トラッキング位置を変化させながら、誤り訂正回路から得られる１フレーム当たりのエラー訂正総数を検出し、１フレーム当たりのエラー訂正総数が最小となるトラッキング位置を探索する２次探索処理手段を備えており、エンベロープ検波回路として、デジタルのランダム信号の最高周波数にピークをもつ特性を有するものが用いられていることを特徴とする。
【０００７】
この発明による第２のデジタルＶＴＲにおけるオートトラッキング装置は、トラッキング位置を変化させながら、誤り訂正回路から得られる１フレーム内のエラー訂正総数を検出し、１フレーム内のエラー訂正総数が最小となるトラッキング位置を探索する１次探索処理手段、および１次探索処理手段によって探索されたトラッキング位置範囲内において、トラッキング位置を変化させながら、エンベロープ検波回路から得られるエンベロープ波形の振幅を検出し、エンベロープ波形の振幅が最高となるトラッキング位置を探索する２次探索処理手段を備えており、エンベロープ検波回路として、デジタルのランダム信号の最高周波数にピークをもつ特性を有するものが用いられていることを特徴とする。
【００１１】
【発明の実施の形態】
以下、図面を参照して、この発明の実施の形態について説明する。
【００１２】
図１は、デジタルＶＴＲの再生系の構成を示している。
【００１３】
ヘッド１、２によって再生されたデジタル信号は、プリアンプ３、４、ヘッド切り替えスイッチ５およびバッフア（ＢＵＦＦＥＲ）  ６を経て、再生等化回路７で等化される。再生等化回路７の出力は、ＰＬＬ回路８、ＡＤ変換器（ＡＤＣ）９、ビタビ復号処理回路１０、デスクランブル（ＤＥ−ＳＣＲＡＮＢＬＥ）  回路１１、エラー訂正回路（ＥＲＲＯＲ  ＣＯＲＲＥＣＴＯＲ）  １２、パケットサイズデータ発生器（ＰＡＫＥＴ  ＳＩＺＥ  ＤＡＴＡ  ＧＥＮＥＲＡＴＯＲ）  １３および駆動回路（ＤＲＩＶＥＲ）  １４を経て、再生画像・音声出力回路１５に送られる。
【００１４】
エラー訂正回路１２では、記録時に記録されたリードソロモン符号により、エラー訂正が行なわれ、誤ったデータは正しく訂正される。そのため、駆動回路１４の出力にはエラーがなく、正常な画像データが出力される。しかしながら、エラー訂正回路１２に送られてくるデータ中のエラー数が多すぎると、エラー訂正回路１２によるエラー訂正が不可能となるため、駆動回路１４からは誤ったデータを含む画像データが出力されるため、画像乱れ及び音飛びが発生する。
【００１５】
なお、２１はエンベロープ検波回路（ＥＮＶ．ＤＥＴ  回路）  であり、１６はトラッキングデータ生成回路である。
【００１６】
この実施の形態では、エンベロープ波形の振幅に基づく最適トラッキング位置探索処理と、エラー訂正回数に基づく最適トラッキング位置探索処理とを行い、それらの探索結果に基づいて、トラッキング位置を最適トラッキング位置に制御する。
【００１７】
（１）エンベロープ波形の振幅に基づく最適トラッキング位置探索処理の説明
【００１８】
エンベロープ波形の振幅に基づく最適トラッキング位置探索処理では、トラッキング位置をシフトさせながら、エンベロープ検波回路２１の出力（エンベロープ波形の振幅）を検出し、エンベロープ波形の振幅が最高となるトラッキング位置を探索する。
【００１９】
つまり、エンベロープ波形の振幅に基づく最適トラッキング位置探索時には、トラッキングデータ生成回路１６は、トラッキング位置がシフトされる毎に、エンベロープ検波回路２１の出力（エンベロープ波形の振幅）を読み込み、エンベロープ波形の振幅が最高となるトラッキング位置を探索する。
【００２０】
ビデオテープには、ＰＬＬ回路８の動作を安定させるために、ヘッド切り替え位置の前後に固定パターン信号が記録されている。固定パターン信号は安定したＰＬＬ動作を確保するための信号であり、固定パターン信号の周波数はデジタルのランダム信号の最高周波数（ＤＶＨＳの場合は約９．６ＭＨｚ）よりかなり低い周波数に設定されている。トラッキング位置探索時に再生されるエンベロープ信号のスペクトラムでは、固定パターン信号周波数付近のレベルが大きく、最高周波数のレベルは小さい。
【００２１】
また、図２に示すように、トラックピッチより大きい幅のヘッド１、２で再生する場合には、図３に示すようにエンベロープ検波回路２１の出力波形の平坦部が広くなる。
【００２２】
トラッキング位置探索時において、再生されたエンベロープ信号を図４のＡ特性で検波した場合には、検波される信号は、固定パターン信号付近の周波数となる。一方、トラッキング位置探索時において、再生されたエンベロープ信号を図４のＢ特性のように、デジタルのランダム信号の最高周波数付近にピークをもつ特性で検波した場合には、検波される信号はそのシステムの最高周波数となる。
【００２３】
固定パターン信号付近の周波数は、システムの最高周波数より、かなり低い周波数であるため、ヘッド１、２とビデオテープに記録されたトラックとのリニアリティ（アジマスロスも含む）や、スペーシングロスの影響を受けにくい。
【００２４】
このため、トラッキング位置探索時において、再生されたエンベロープ信号を図４のＡ特性で検波した場合には、図３に示すエンベロープ検波回路２１の出力（エンベロープ波形の振幅）の平坦部のレベルは、ほぼ一定となる。したがって、この平坦部内においてトラッキング位置をシフトさせても、エンベロープ波形の振幅が変化しないため、最良のトラッキング位置を検出することができないことがある。
【００２５】
一方、トラッキング位置探索時において、再生されたエンベロープ信号を図４のＢ特性で検波した場合には、検波される信号はそのシステムの最高周波数となるため、ヘッド１、２とビデオテープに記録されたトラックとのリニアリティや、スペーシングロスの影響を受けやすい。したがって、図３に示すエンベロープ検波回路２１の出力（エンベロープ波形の振幅）の平坦部でも、上記リニアリティやスペーシングロスの影響によって、そのレベルが変動する。
【００２６】
そこで、この実施の形態では、エンベロープ検波回路２１として、図４のＢ特性のように、デジタルのランダム信号の最高周波数付近にピークをもつ特性を有するものが用いられている。
【００２７】
（２）エラー訂正回数に基づく最適トラッキング位置探索処理の説明
【００２８】
エラー訂正回数に基づく最適トラッキング位置探索処理では、トラッキング位置をシフトさせながら、１フレーム当たりのエラー訂正総数を検出し、１フレーム当たりのエラー訂正総数が最小となるトラッキング位置を探索する。
【００２９】
エラー訂正回路１２では、エラーを訂正するたびにエラー訂正パルスを発生する。エラー訂正回路１２は、１フレーム毎にエラー訂正パルスをカウントし、１フレーム当たりのエラー訂正パルス総数をトラッキングデータ生成回路１６に通知する。
【００３０】
エラー訂正回数に基づく最適トラッキング位置探索時には、トラッキングデータ生成回路１６は、トラッキング位置がシフトされる毎に、エラー訂正回路１２から送られてくる１フレーム当たりのエラー訂正パルスの総数を読み込み、１フレーム内のエラー訂正パルスの総数が最小となるトラッキング位置を探索する。
【００３１】
上記（１）の最適トラッキング位置探索処理を行なった場合に、図３の平坦部でのレベル変動が少ない場合には、最適トラッキング位置として探索されるトラッキング範囲が広くなる。また、上記（２）の最適トラッキング位置探索処理を行なった場合に、Ｃ／Ｎがかなり高く、エラー訂正パルスが発生しないトラッキング範囲が広い場合には、最適トラッキング位置として探索されるトラッキング範囲が広くなる。
【００３２】
そこで、まず、上記（２）の最適トラッキング位置探索処理を行なって、１フレーム当たりのエラー訂正パルスの総数が最小となるトラッキング範囲を探索（１次探索）する。この後、その範囲内で、上記（１）の最適トラッキング位置探索処理を行なって、エンベロープ検波回路２１の出力（エンベロープ波形の振幅）が最大となるトラッキング位置を探索（２次探索）し、この探索位置にトラッキング位置を制御する。
【００３３】
あるいは、まず、上記（１）の最適トラッキング位置探索処理を行なって、エンベロープ検波回路２１の出力（エンベロープ波形の振幅）が最大となるトラッキング範囲を探索（１次探索）する。この後、その範囲内で、上記（２）の最適トラッキング位置探索処理を行なって、１フレーム当たりのエラー訂正パルスの総数が最小となるトラッキング位置を探索（２次探索）し、この探索位置にトラッキング位置を制御する。
【００３４】
エンベロープ検波回路２１として、図４のＢ特性のように、デジタルのランダム信号の最高周波数付近にピークをもつ特性を有するものが用いられているが、従来のように図４のＡ特性を有するものを用いてもよい。
【００３５】
上記実施の形態では、エンベロープ波形の振幅に基づく最適トラッキング位置探索処理と、エラー訂正回数に基づく最適トラッキング位置探索処理とを行い、それらの探索結果に基づいて、トラッキング位置を最適位置に制御しているが、エラー訂正回数に基づく最適トラッキング位置探索処理のみよってトラッキング位置調整を行なうようにしてもよい。
【００３６】
【発明の効果】
この発明によれば、エラーレートが小さくなるトラッキング位置にトラッキング位置を調整することができるデジタルＶＴＲのオートトラッキング装置を提供することを目的とする。
【図面の簡単な説明】
【図１】デジタルＶＴＲの再生系の構成を示すブロック図である。
【図２】トラックピッチとヘッドとを示す模式図である。
【図３】トラックピッチより大きい幅のヘッドで再生する場合に得られるエンベロープ波形を示す波形図である。
【図４】エンベロープ検波回路の特性を示すグラフである。
【符号の説明】
１、２  ヘッド
３、４  プリアンプ
５  ヘッド切り替えスイッチ
６  バッフア
１２  エラー訂正回路
１６  トラッキングデータ生成回路
２１  エンベロープ検波回路
【図１】
0003600104.tif 000002
【図２】
0003600104.tif 000003
【図３】
0003600104.tif 000004
【図４】
0003600104.tif 000005